(57)【特許請求の範囲】
【請求項１】
剛性の高い線材で形成された本体部の先端部がフック状に形成され、該本体部の後端側に把持補助部が設けられた携帯用の特殊靴べらを収納する収納ケースであって、
該収納ケースは、長尺の長方形の皮革を二つ折りにして両側面を逢着して袋状に形成し、
該袋状の裏面側のベース皮革は、前記特殊靴べらの本体部と概ね同じ長さに形成し、
前記袋状の表面側のカバー皮革は、ベース皮革よりも短めに形成して開口部に段差部を設け、
該段差部に臨むベース皮革が特殊靴べらを収納する際に、フック状先端部のガイドとなること
を特徴とする特殊靴べら用収納ケース。
【請求項２】
前記カバー皮革の開口部側の端部は、円弧状の切欠部を形成すると共に、開口部の口が開くように所要長さに渡ってベース皮革よりも幅広く形成したこと
を特徴とする請求項１に記載の特殊靴べら用収納ケース。
【発明の詳細な説明】
【技術分野】
【０００１】  本発明は、剛性の高い金属線材を使用した高齢者向きの携帯用の特殊靴べらを収納する収納ケースに関するものである。
【背景技術】
【０００２】  この種の携帯用の特殊靴べらとしては、同一出願人に係る靴べらが公知になっている。その公知の靴べらは、剛性の高い線材で形成された本体部と、該本体部の後端部側に設けられた把持補助部とからなり、前記本体部は、先端部側から後端部側まで一連の線材を左右平行に所要間隔をもって形成すると共に、後端部側を僅かに拡径して把持部とし、前記本体部の先端部を鋭角に折り曲げて所要長さのフック部に形成し、該フック部を形成する折り曲げ部分は所要のアールをもった曲面に形成した構成の携帯用靴べらである（特許第５２８１１８４号公報）。【０００３】  この携帯用の特殊靴べらは、線材で形成された本体部とその後端部側に設けられた把持補助部とから構成されているため、細身で軽量であるから携帯に便利であると共に、本体部と把持補助部とを安定した状態で持つ（掴む）ことができ、先端部側のフック部をシューズの踵に引っ掛けて後方に引くことによって、シューズの踵を起立状態に維持して履き口を広く保ち、且つ、フック部形成の折り曲げ部分を曲面に形成することで履く操作が容易に行えるので、特に、高齢者でも、この動作が簡単に行えるので、スニーカーのようなソフトなシューズも簡単に履くことができる、というものである。
【先行技術文献】
【特許文献】
【０００４】
【特許文献１】  特許第５２８１１８４号公報
【発明の概要】
【発明が解決しようとする課題】
【０００５】  ところで、前記公知に係る携帯用の特殊靴べらは、通常の携帯用靴べらと違って高齢者用のもので、先端がフック状に曲げられて形成されているので、例えば、高齢者がハンカチや小銭入れ又は他の種々の小物等と一緒にポケットに入れて携帯し、出先でそれらの小物等を取り出した時に、フック部が小物に引っ掛かった状態でポケットから引き出され、無意識の内に外部に落下させて紛失するという問題点を有している。【０００６】  特に、前記公知に係る携帯用の特殊靴べらを買い求めて使用していた複数の高齢者から、スニーカーのような軽量でソフトなシューズを履く時に、使い勝手が非常に良いとの高い評価を受けているが、その反面で、常にポケットに入れて使用していたのであるが、いつの間にか気が付かない内に紛失してしまって、不便をしているとの連絡を受けると共に、何とか紛失を避ける手段がないのかとの相談も受けているのが実情である。【０００７】  従って、前記公知に係る携帯用の特殊靴べらについて、紛失を避けるようにすると共に、高齢者でも取り扱い易いようにするための収納ケースを提供することを目的とする。
【課題を解決するための手段】
【０００８】  本発明は、前記目的を達成する具体的手段として、剛性の高い線材で形成された本体部の先端部がフック状に形成され、該本体部の後端側に把持補助部が設けられた携帯用の特殊靴べらを収納する収納ケースであって、該収納ケースは、長尺の長方形の皮革を二つ折りにして両側面を逢着して袋状に形成し、該袋状の裏面側のベース皮革は、前記特殊靴べらの本体部と概ね同じ長さに形成し、前記袋状の表面側のカバー皮革は、ベース皮革よりも短めに形成して開口部に段差部を設け、該段差部に臨むベース皮革が特殊靴べらを収納する際に、フック状先端部のガイドとなることを特徴とする特殊靴べら用収納ケースを提供するものである。【０００９】  前記発明において、前記カバー皮革の開口部側の端部は、円弧状の切欠部を形成すると共に、開口部の口が開くように所要長さに渡ってベース皮革よりも幅広く形成したこと、を付加的な要件として含むものである。
【発明の効果】
【００１０】  本発明に係る特殊靴べら用収納ケースによれば、ベース皮革よりもカバー皮革を短めに形成して開口部に段差部を設けたことにより、段差部に臨むベース部材がフック状先端部のガイドとなるのであり、特殊靴べらを収納する際に、把持部側を持ってフック部側から挿入するようになり、フック部が収納ケース内に完全に納まって外部に露出していないので、他の小物等と一緒にポケットに入れて持ち歩き、不用意に小物を出した時でも収納ケース内に入っている限り、小物に引っ掛かって外部に落下することがなく、特殊靴べらの紛失を完全に防止することができるという優れた効果を奏する。
また、収納ケースに収納した特殊靴べらの把持部側が、収納ケースよりも所要長さ突出しているので、使用時の引き出し作業が容易にできるという優れた効果を奏する。
【図面の簡単な説明】
【００１１】
【図１】本発明の好ましい実施の形態に係る特殊靴べら用収納ケースを示した斜視図である。
【図２】同実施の形態に係る収納ケースの逢着前の要部のみを示す平面図である。
【図３】同実施の形態に係る収納ケースの側面図である。
【図４】同実施の形態に係る収納ケースに収納される特殊靴べらを示す斜視図である。
【図５】同実施の形態に係る収納ケースへの収納操作を示す要部の斜視図である。
【図６】同実施の形態に係る収納ケースに特殊靴べらを収納した状態を示す斜視図である。
【発明を実施するための形態】
【００１２】  本発明の好ましい実施の形態に係る特殊靴べら用収納ケースについて、図面を参照して説明する。
まず、図１において、特殊靴べら用収納ケース１は、所要幅で長尺の長方形に形成した皮革を二つ折りにし、両側面に沿ってそれぞれ逢着２（以下、逢着部２という）することによって一方の端部が開口３（以下、開口部３という）する縦長の袋状に形成したものである。この場合に、折り畳む裏面側がベース皮革４となり、表面側がカバー皮革５となるのであり、カバー皮革５をベース皮革４よりも少し短めにして二つ折りし、逢着部２を形成することにより開口部３が、好ましくは１０ｍｍ程度の段差をもって形成されることになる。
【００１３】  さらに、カバー皮革５の開口部３側の端部は、円弧状の切欠部６を形成すると共に、端部寄りの幅は、所要長さに渡ってベース皮革４の幅よりも広く形成してある。つまり、図２に示したように、例えば、端部に至る２．５ｃｍ程度手前から徐々に広く形成しておいて、逢着時にベース皮革４の両側端縁とカバー皮革５の両側端縁とを一致させて逢着することによって、図３に示したように、カバー皮革５の開口部３側の端部（円弧状の端部）が少し上方に持ち上がって、開口部３の口が開いた状態になるのである。因みに、収納ケース１の幅は、概ね３．８ｃｍ程度で、長さは概ね１１ｃｍ程度である。
【００１４】  そして、収納ケース１として、開口部３に臨むベース皮革４の平坦部７は、後述する特殊靴べらを収納する際の先端部の張り出しているフック部をガイドする役目を果たすのである。なお、必要があれば、ベース皮革４に吊り下げ用の紐部材８を取り付けても良い。
【００１５】  携帯用の特殊靴べら１０は、図４に示したように、剛性の高いステンレス線材で本体部１１を形成し、該本体部１１の先端側を折り曲げてフック部１２を形成し、後端側に皮革で形成した把持補助部１３を本体側に折り畳み自在に設けたものであって、普通の靴べらとは全く異なる高齢者用の特殊な靴べらといえるのである。因みに、本体部１１の長さは１１ｃｍ程度で、把持補助部１３の長さは６．５ｃｍ程度である。
【００１６】  前記したように構成された特殊靴べら用収納ケース１を使用する場合に、図５に示したように、まず、収納ケース１の開口部３側の両側面を摘まんで、少し内側に押すようにすると開口部３の口が大きく開き、特殊靴べら１０の把持補助部１３を折り畳んだ状態で、フック部１２をベース皮革４の平坦部７に押し当てるようにして押し込みさえすれば、図６に示したように、高齢者であっても簡単に収納ケース１内に特殊靴べら１０を体裁良く収納することができるのである。これは、特に、高齢者が特殊靴べら１０の把持部側をもって靴を履く習性になっているので、その習性を利用して、フック部１２側から収納する作業を行わせるようにするのである。
【００１７】  このように収納ケース１に特殊靴べら１０を収納すると、フック部１２が袋状を呈する収納ケース１の底部にまで押し込まれるが、フック部１２は偏平ではないので、所要の空間面積を占有することになる。そのために収納ケース１と本体部１１の長さを概ね同じにしても占有した面積分、本体部１１の後端部側が収納ケース１の後端部側から所要長さ突出するのである。しかしながら、フック部１２は収納ケース１内にスッポリ納まって、外部に突出しないので邪魔にならないし、ポケットに入れても他の小物に引っ掛かったりしないので、不用意に小物を出したとしても、特殊靴べら１０は引っ掛かって外部に取り出されて紛失することはないのである。
【００１８】  また、上記したように収納ケース１に収納した特殊靴べら１０の後端部が所要長さ突出しているが、この突出長さも計算済みである。つまり、この突出長さは概ね１０ｍｍ程度であって、特殊靴べら１０を使用する際に、その突出した後端部を摘まんで引き出すのに丁度都合の良い長さなのである。つまり、特殊靴べら１０の本体部１１の長さに合わせて収納ケース１の大きさ（長さ）を決めることができるのであり、それによって、収納ケース１に対して収納する場合でも、取り出す場合でもそれらの作業が簡単にできるのであり、高齢者であっても操作性が良いのである。もちろん、男性のみならず、女性でもハンドバックに入れて持ち運び、ハンドバックから種々の小物を出す場合でもフック部１２が露出していないので引っ掛かって外部に落下させることはないのである。
【産業上の利用可能性】
【００１９】  本発明に係る特殊靴べら用収納ケース１は、長尺の長方形の皮革を二つ折りにして両側面を逢着２して袋状に形成し、該袋状の裏面側のベース皮革４は、前記特殊靴べら１０の本体部１１と概ね同じ長さに形成し、前記袋状の表面側のカバー皮革５は、ベース皮革４よりも短めに形成して開口部３に段差部を設け、該段差部に臨むベース皮革が特殊靴べらを収納する際に、フック状先端部のガイドとなるのであり、特殊靴べら１０のフック部１２が収納ケース内に完全に納まって外部に露出していないので、他の小物等と一緒にポケットに入れて持ち歩き、不用意に小物を出した時でも収納ケース１内に入っている限り、小物に引っ掛かって外部に落下することがなく、特殊靴べら１０の紛失が完全に防止できるのであり、高齢者や身障者のみならず、広く一般に利用できるのである。
【符号の説明】
【００２０】  １  収納ケース
２  逢着部
３  開口部
４  ベース皮革
５  カバー皮革
６  円弧状の切欠部
７  平坦部
８  紐部材
１０  特殊靴べら
１１  本体部
１２  フック部
１３  把持補助部
【要約】      （修正有）【課題】先端側にフック部を有する特殊靴べらの紛失を防止する。【解決手段】剛性の高い線材で形成された本体部１１の先端部がフック状に形成され、該本体部１１の後端側に把持補助部１３が設けられた携帯用の特殊靴べら１０を収納する収納ケース１であって、該収納ケース１は、長尺の長方形の皮革を二つ折りにして両側面を逢着して袋状に形成し、該袋状の裏面側のベース皮革４は、前記特殊靴べら１０の本体部１１と概ね同じ長さに形成し、前記袋状の表面側のカバー皮革５は、ベース皮革４よりも短めに形成して開口部３に段差部を設け、該段差部に臨むベース皮革４が特殊靴べら１０を収納する際に、フック状先端部のガイドとなる構成としたことにより、小物に引っ掛かって外部に落下することがなく、収納ケースに収納した特殊靴べらの把持部側が、収納ケースよりも所要長さ突出しているので、使用時の引き出し作業が容易にできる。【選択図】図６【図１】
0005756214.tif 000002
【図２】
0005756214.tif 000003
【図３】
0005756214.tif 000004
【図４】
0005756214.tif 000005
【図５】
0005756214.tif 000006
【図６】
0005756214.tif 000007